(57)【特許請求の範囲】
【請求項１】
筐体を前後の一側から覆う一側カバーと、前記筐体を前後の他側から覆う他側カバーと、前記一側カバーの側面を周囲から覆うカバー部材とを備える表示装置において、
前記一側カバーは、前記他側カバー側へ突出する嵌合爪を備え、
前記他側カバーは、前記嵌合爪が差し込まれる嵌合部を備え、
前記カバー部材は、前記嵌合部の内部で前記嵌合爪に係合する係合孔を備え、
前記筐体は、前記嵌合爪が前記係合孔に係合した状態を維持するように、前記他側カバーの内側から前記嵌合部を受けていることを特徴とする表示装置。
【請求項２】
前記一側カバーは、前記嵌合部と前記筐体との間に差し込まれる保持部を備え、前記筐体は、前記保持部を介して前記嵌合部を受けることを特徴とする請求項１記載の表示装置。
【請求項３】
前記カバー部材は、前記嵌合部に差し込まれる突出部を備え、前記係合孔は、前記突出部に形成されていることを特徴とする請求項１または２記載の表示装置。
【請求項４】
前記他側カバーの前記嵌合部は、前記突出部に当接する外側壁部と、前記筐体に押圧されて前記嵌合爪に当接する内側壁部とを備えることを特徴とする請求項３記載の表示装置。
【発明の詳細な説明】
【技術分野】
【０００１】
本発明は、表示装置に関する。
【背景技術】
【０００２】
従来、カバーを取り付け対象物に爪で嵌合させて固定する技術が知られている（例えば、特許文献１参照）。
【先行技術文献】
【特許文献】
【０００３】
【特許文献１】特開２００３−１６８８８６号公報
【発明の概要】
【発明が解決しようとする課題】
【０００４】
ところで、オーディオ機器やナビゲーション装置等の表示装置では、デザイン性が重視されることから、部品の取り付けスペースに制約があり、カバーをコンパクトな固定構造で固定することが望まれる。また、コンパクトな固定構造であっても、カバーを強固に固定することが望まれる。
本発明は、上述した事情に鑑みてなされたものであり、表示装置において、カバーをコンパクトな構造で、且つ、強固に固定できるようにすることを目的とする。
【課題を解決するための手段】
【０００５】
上記目的を達成するため、本発明は、筐体を前後の一側から覆う一側カバーと、前記筐体を前後の他側から覆う他側カバーと、前記一側カバーの側面を周囲から覆うカバー部材とを備える表示装置において、前記一側カバーは、前記他側カバー側へ突出する嵌合爪を備え、前記他側カバーは、前記嵌合爪が差し込まれる嵌合部を備え、前記カバー部材は、前記嵌合部の内部で前記嵌合爪に係合する係合孔を備え、前記筐体は、前記嵌合爪が前記係合孔に係合した状態を維持するように、前記他側カバーの内側から前記嵌合部を受けていることを特徴とする。
【発明の効果】
【０００６】
本発明に係る表示装置では、カバーをコンパクトな構造で、且つ、強固に固定できる。
【図面の簡単な説明】
【０００７】
【図１】本発明を適用した実施形態に係る表示装置の外観構成を示す斜視図である。
【図２】前面部の分解斜視図である。
【図３】図１のＩＩＩ−ＩＩＩ断面図である。
【図４】一側カバーを後面側から見た正面図である。
【図５】一側カバーを上方側から見た平面図である。
【図６】他側カバーを前面側から見た正面図である。
【図７】筐体を前面側から見た正面図である。
【図８】筐体を左右方向の側方から見た側面図である。
【図９】カバー部材を上方側から見た平面図である。
【発明を実施するための形態】
【０００８】
以下、図面を参照して本発明の実施の形態について説明する。
図１は、本発明を適用した実施形態に係る表示装置１０の外観構成を示す斜視図である。
表示装置１０は、車両内に配置される車載装置であり、例えば、カーナビゲーション装置である。表示装置１０は、音声を再生する機能を有する。すなわち、表示装置１０はオーディオ装置でもある。
【０００９】
表示装置１０は、例えば、自動車の車室内のダッシュボードに設けられる。表示装置１０は、上記ダッシュボード内に埋め込むようにして配置される箱状の本体部１１と、本体部１１の前面に取り付けられ、ユーザーの側を向いて配置される前面部１２とを備える。なお、各図では、表示装置１０の前方方向を符号Ｆｒの矢印で示すことがある。
本体部１１内には、電子基板や、記録媒体としてのディスクの情報を読み取るディスク装置等が収納されている。
前面部１２には、各種の画像（静止画像、動画像、映像）を表示する表示部１３や、複数の操作部１４が設けられている。表示部１３は例えば液晶ディスプレイである。各操作部１４は、ユーザーの入力操作を検出するための操作スイッチ類であり、表示装置１０が実行中の処理に応じて様々な機能が割り当てられる。ユーザーは、任意の操作部１４を操作することで、所望の機能を表示装置１０に実行させることができる。
【００１０】
図２は、前面部１２の分解斜視図である。ここで、図２では、表示部１３及び操作部１４の一部は不図示である。
図１及び図２を参照し、前面部１２は、前面部１２のフレームとしての筐体１５と、筐体１５を表示装置１０の前後方向における一側（前側）から覆う一側カバー１６と、筐体１５を表示装置１０の前後方向における他側（後側）から覆う他側カバー１７と、一側カバー１６の側面を周囲から覆うカバー部材１８（カバー）とを備える。
【００１１】
表示部１３（図１）は、一側カバー１６の後面側に取り付けられており、一側カバー１６の開口部１６ａから前方側に露出する。表示部１３及び操作部１４に接続される電子基板（不図示）は、表示部１３と筐体１５との間に配置され、筐体１５内に収納される。
【００１２】
図３は、図１のＩＩＩ−ＩＩＩ断面図である。図４は、一側カバー１６を後面側（他側カバー１７の側）から見た正面図である。図５は、一側カバー１６を上方側から見た平面図である。
図２〜図５を参照し、一側カバー１６は、筐体１５を前側から覆う略矩形の前壁部１６ｂと、前壁部１６ｂの周縁部から他側カバー１７側へ立設される一側カバー側壁部１６ｃ（一側カバーの側面）とを備える。一側カバー１６は、樹脂成型品である。
前壁部１６ｂは、上下方向よりも左右方向に長い長方形状に形成された板である。開口部１６ａは前壁部１６ｂに形成されている。
【００１３】
一側カバー側壁部１６ｃは、前壁部１６ｂの周縁部の全周に亘って枠状に形成されている。
また、一側カバー１６は、一側カバー側壁部１６ｃよりも一側カバー１６の内側の位置に、保持壁部１６ｄ（保持部）を備える。この保持壁部１６ｄは、前壁部１６ｂから他側カバー１７側へ向かって立設されており、前壁部１６ｂの周縁部の全周に亘って枠状に形成されている。
保持壁部１６ｄが一側カバー側壁部１６ｃに対して内側に離間して形成されることで、一側カバー側壁部１６ｃと保持壁部１６ｄとの間には枠状の空間１６ｅが形成されている。また、保持壁部１６ｄの他側カバー１７側への突出高さは、一側カバー側壁部１６ｃの高さよりも大きい。
【００１４】
保持壁部１６ｄには、円筒状のボス部２０が一体に形成されている。ボス部２０には、他側カバー１７と一側カバー１６とを固定するカバー固定ねじ（不図示）が締結される。ボス部２０は、一側カバー側壁部１６ｃ上において互いに間隔をあけて複数形成されている。
また、一側カバー１６の左右の側部には、円筒状のボス部２１が複数設けられている。このボス部２１には、筐体１５を一側カバー１６に固定する一側筐体固定ねじ（不図示）が締結される。
【００１５】
一側カバー側壁部１６ｃには、他側カバー１７側へ突出する嵌合爪２２が複数形成されている。各嵌合爪２２は、一側カバー側壁部１６ｃ上において互いに間隔をあけて複数形成されている。
詳細には、一側カバー側壁部１６ｃは、一側カバー側壁部１６ｃをその後端部から前方側へ切り欠いた切り欠き部２３を複数備える。各嵌合爪２２は、各切り欠き部２３の前縁から、切り欠き部２３内を他側カバー１７側へ後方に突出している。各嵌合爪２２は、一側カバー１６の外側方側へ突出する突起部２２ａ（図３）を先端部に備える。
【００１６】
保持壁部１６ｄにおいて嵌合爪２２の近傍の部分には、嵌合爪２２側へ突出するリブ２４が複数設けられている。詳細には、リブ２４は、一側カバー側壁部１６ｃを外側方から見た場合に、切り欠き部２３の内側に位置するように配置されている。リブ２４は、保持壁部１６ｄの強度及び剛性を向上させる。
また、図５に示すように、保持壁部１６ｄ上において嵌合爪２２から離間した位置には、保持壁部１６ｄを貫通する係合孔２５が形成されている。係合孔２５は、互いに間隔をあけて複数設けられている。
【００１７】
図６は、他側カバー１７を前面側（一側カバー１６の側）から見た正面図である。
図２、図３及び図６を参照し、他側カバー１７は、筐体１５を後側から覆う略矩形の後壁部１７ａと、後壁部１７ａの周縁部から一側カバー１６側へ立設される他側カバー側壁部１７ｂとを備える。他側カバー１７は、樹脂成型品である。
後壁部１７ａは、上下方向よりも左右方向に長い長方形状に形成された板である。後壁部１７ａには、本体部１１（図１）の内部に連通する矩形の後面開口１７ｃが形成されている。
【００１８】
他側カバー側壁部１７ｂは、後壁部１７ａの周縁部の全周に亘って枠状に形成されている。
後壁部１７ａの上縁部及び下縁部において他側カバー側壁部１７ｂの内側には、前記カバー固定ねじが後方から挿通される孔３０が、他側カバー側壁部１７ｂに沿って複数形成されている。孔３０は、他側カバー１７と一側カバー１６とを組み付けた状態で、ボス部２０（図４）に重なる位置に設けられている。
また、後壁部１７ａにおいて後面開口１７ｃの左右の側方には、筐体１５を他側カバー１７に固定する他側筐体固定ねじ（不図示）が後方から挿通される孔３１が複数形成されている。
【００１９】
他側カバー側壁部１７ｂの前端部には、一側カバー１６の嵌合爪２２が差し込まれる嵌合部３２が複数形成されている。嵌合部３２は、前方の一側カバー１６側に開放する角穴部である。
嵌合部３２は、他側カバー１７と一側カバー１６とを組み付けた状態で、嵌合爪２２に重なる位置に設けられている。
嵌合部３２は、他側カバー側壁部１７ｂの外周面の一部を構成する外側壁部３２ａと、外側壁部３２ａよりも他側カバー１７の内側の位置で外側壁部３２ａに対向する内側壁部３２ｂと、外側壁部３２ａの両端部から延びて外側壁部３２ａと内側壁部３２ｂとを繋ぐ一対の側壁部３２ｃ，３２ｃと、嵌合部３２の底を塞ぐ底壁部３２ｄとを備える。
嵌合部３２内には、内側壁部３２ｂから外側壁部３２ａ側に突出する内側リブ３２ｅが複数形成されている。内側リブ３２ｅは、嵌合部３２の強度及び剛性を向上させる。なお、図面を見易くするため、図６では、嵌合部３２の細部に関する符号は、上部の１か所の嵌合部３２にのみ付されている。
【００２０】
図７は、筐体１５を前面側（一側カバー１６の側）から見た正面図である。図８は、筐体１５を左右方向の側方から見た側面図である。
図３、図７及び図８を参照し、筐体１５は、前壁部１６ｂ及び後壁部１７ａに前方及び後方から覆われる略矩形のベースプレート部１５ａと、ベースプレート部１５ａの周縁部から一側カバー１６側へ立設される筐体側壁部１５ｂとを備える。筐体１５は、一側カバー１６と他側カバー１７とが合わさることで形成されるケース体１９（図３）内に収納されている。
筐体１５は、鉄鋼材料等の金属材料の板材を板金加工によって成形した板金製の部材である。
ベースプレート部１５ａは、上下方向よりも左右方向に長い長方形状に形成された板である。ベースプレート部１５ａの左右の側部には、他側カバー１７の孔３１（図６）に挿通された前記他側筐体固定ねじが締結される固定孔４０が複数形成されている。
【００２１】
筐体側壁部１５ｂは、ベースプレート部１５ａの周縁部の略全周に亘って枠状に形成された板部である。
詳細には、筐体側壁部１５ｂは、ベースプレート部１５ａの周縁部から一側カバー１６側へ延びる基端部４１と、基端部４１の先端から略直角に屈曲して筐体１５の外側方側へ延びる側方延出部４２と、側方延出部４２の先端から略直角に屈曲して一側カバー１６側へ延びる延出部４３とを備える。
【００２２】
筐体側壁部１５ｂは、側方延出部４２の先端部から筐体１５の外側方側へ突出する係止部４４を複数備える。係止部４４は、延出部４３よりも外側方へ突出している。係止部４４は、他側カバー１７の孔３０（図６）に対応した位置に複数形成されている。係止部４４には、孔３０に挿通されて一側カバー１６のボス部２０（図４）に締結される前記カバー固定ねじが挿通される。すなわち、筐体１５は、各係止部４４に挿通される前記カバー固定ねじによって一側カバー１６及び他側カバー１７に係止される。
【００２３】
また、筐体側壁部１５ｂにおいて筐体１５の左右の側部に位置する部分には、筐体１５の外側方側へ突出する側部係止部４５が複数設けられている。側部係止部４５は、一側カバー１６のボス部２１（図４）に対応する位置に設けられている。筐体１５は、側部係止部４５に後方側から挿通されてボス部２１に締結される前記一側筐体固定ねじによって一側カバー１６に固定される。
【００２４】
筐体側壁部１５ｂの延出部４３は、筐体１５の外側方側へ突出する凸部４６を複数備える。凸部４６は、一側カバー１６の保持壁部１６ｄに形成された係合孔２５（図５）に対応する位置に複数形成されている。凸部４６は、係合孔２５に対し、保持壁部１６ｄの内側方向から係合する。すなわち、一側カバー１６は、筐体１５の凸部４６が係合孔２５に係合することで筐体１５に固定されている。
【００２５】
図９は、カバー部材１８を上方側から見た平面図である。
図２、図３及び図９を参照し、カバー部材１８は、カバー部材１８の一側カバー側壁部１６ｃを周囲から覆うカバーであり、一側カバー側壁部１６ｃの外側面に沿う枠状に形成されている。カバー部材１８は、樹脂成型品であるとともに、一側カバー１６とは異なる塗装が施される。
本実施の形態では、カバー部材１８を一側カバー１６とは別体で構成したため、カバー部材１８に例えばメッキ塗装を容易に施すことができる。これにより、前面部１２（図１）の輪郭部分を構成するカバー部材１８をメッキ塗装品にでき、表示装置１０の外観性を向上できる。
【００２６】
カバー部材１８は、一側カバー側壁部１６ｃを覆う枠状のカバー本体部１８ａと、カバー本体部１８ａから他側カバー１７側へ突出する複数の突出部１８ｂとを備える。
突出部１８ｂは、他側カバー１７の各嵌合部３２に対応する位置に複数形成されている。突出部１８ｂは、一側カバー１６の嵌合爪２２と共に、他側カバー１７の嵌合部３２に前方側から差し込まれる。
突出部１８ｂは、カバー本体部１８ａよりも板厚が小さい板状に形成されている。突出部１８ｂには、突出部１８ｂを貫通する係合孔５０が形成されている。係合孔５０には、嵌合爪２２の突起部２２ａが係合する。
また、カバー本体部１８ａの後面において突出部１８ｂよりも外側の位置には、前方側に窪む凹部５１（図３）が形成されている。
【００２７】
図３に示すように、一側カバー１６の一側カバー側壁部１６ｃと他側カバー１７の他側カバー側壁部１７ｂとが前後に合わさって結合されることで、ケース体１９が形成され、ケース体１９の内側に筐体１５が収納される。カバー部材１８は、一側カバー側壁部１６ｃと他側カバー側壁部１７ｂとの結合部を覆うように設けられ、この結合部を隠す。
【００２８】
カバー部材１８は、突出部１８ｂの係合孔５０が一側カバー１６の嵌合爪２２に係合されることで、ケース体１９に固定されている。
詳細には、突出部１８ｂは、嵌合爪２２と共に他側カバー１７の嵌合部３２に差し込まれており、嵌合部３２の内部で、係合孔５０に嵌合爪２２の突起部２２ａがケース体１９の内側方向から係合されている。この状態では、突出部１８ｂが外側壁部３２ａに当接し、嵌合爪２２が内側壁部３２ｂに当接する。すなわち、嵌合爪２２及び突出部１８ｂは、嵌合部３２の外側壁部３２ａと内側壁部３２ｂとの間に狭持されることで、嵌合爪２２が係合孔５０に係合した状態が維持される。
【００２９】
本実施の形態では、嵌合部３２の内側壁部３２よりもケース体１９の内側に、筐体１５の筐体側壁部１５ｂの延出部４３が内側壁部３２に近接して配置されており、延出部４３は、内側壁部３２のケース体１９の内側への変形を受けることができる。
詳細には、内側壁部３２と筐体１５の延出部４３との間には、一側カバー１６の保持壁部１６ｄが差し込まれており、延出部４３は、保持壁部１６ｄを介して内側壁部３２を受ける。保持壁部１６ｄは、リブ２４を介して内側壁部３２に当接する。
【００３０】
カバー部材１８を前方側へ引き抜くような外力が作用した場合、嵌合爪２２がカバー部材１８の突出部１８ｂに押圧されて内側壁部３２をケース体１９の内側へ変形させる力が発生するが、この力は、延出部４３による保持力Ｓによって受けられる。
このように、カバー部材１８が引き抜かれようとする際に発生する力を、強度及び剛性が高い板金製の筐体１５の延出部４３によって受けることができ、嵌合部３２の変形を抑制できるため、カバー部材１８をケース体１９側に強固に固定しておくことができる。
また、他側カバー側壁部１７ｂの先端部は、カバー部材１８の後面の凹部５１に係合する。これにより、他側カバー側壁部１７ｂの先端部によってカバー部材１８を適切な位置に位置決めできる。
【００３１】
以上説明したように、本発明を適用した実施の形態によれば、表示装置１０は、筐体１５を前後の一側から覆う一側カバー１６と、筐体１５を前後の他側から覆う他側カバー１７と、一側カバー１６の側面である一側カバー側壁部１６ｃを周囲から覆うカバー部材１８とを備え、一側カバー１６は、他側カバー１７側へ突出する嵌合爪２２を備え、他側カバー１７は、嵌合爪２２が差し込まれる嵌合部３２を備え、カバー部材１８は、嵌合部３２の内部で嵌合爪２２に係合する係合孔５０を備え、筐体１５は、嵌合爪２２が係合孔５０に係合した状態を維持するように、他側カバー１７の内側から嵌合部３２を受けている。これにより、他側カバー１７の嵌合部３２の内部で一側カバー１６の嵌合爪２２をカバー部材１８の係合孔５０に嵌合させるコンパクトな構成で、カバー部材１８を固定できる。また、筐体１５が、嵌合爪２２が係合孔５０に係合した状態を維持するように、嵌合部３２を受けるため、カバー部材１８の係合孔５０が嵌合爪２２から外れることを防止でき、カバー部材１８を強固に固定できる。
【００３２】
また、一側カバー１６は、嵌合部３２と筐体１５との間に差し込まれる保持壁部１６ｄを備え、筐体１５は、保持壁部１６ｄを介して嵌合部３２を受ける。これにより、嵌合部３２と筐体１５との間に差し込まれる一側カバー１６の保持壁部１６ｄによって、嵌合爪２２を嵌合部３２に対して位置決めでき、嵌合爪２２を適切に嵌合部３２に嵌合させることができる。また、筐体１５が保持壁部１６ｄを介して嵌合部を受けるため、保持壁部１６ｄの厚さの分だけ筐体１５を小型化できる。
また、カバー部材１８は、嵌合部３２に差し込まれる突出部１８ｂを備え、係合孔５０は、突出部１８ｂに形成されているため、嵌合部３２内でカバー部材１８の突出部１８ｂの係合孔５０に嵌合爪２２を嵌合させることができ、コンパクトな構造でカバー部材１８を固定できる。
さらに、他側カバー１７の嵌合部３２は、突出部１８ｂに当接する外側壁部３２ａと、筐体１５に押圧されて嵌合爪２２に当接する内側壁部３２ｂとを備えるため、突出部１８ｂと嵌合爪２２との嵌合部を外側壁部３２ａと内側壁部３２ｂとの間に狭持できる。このため、嵌合爪２２でカバー部材１８を強固に固定できる。
【００３３】
なお、上記実施の形態は本発明を適用した一態様を示すものであって、本発明は上記実施の形態に限定されるものではない。
上記実施の形態では、筐体１５は、保持壁部１６ｄを介して嵌合部３２を受けるものとして説明したが、本発明はこれに限定されるものではない。保持壁部１６ｄを設けずに、筐体１５の延出部４３を内側壁部３２ｂに直接当接させた構成としても良い。
また、上記実施の形態では、一側カバー１６が筐体１５を前側から覆うカバーであり、他側カバー１７が筐体１５を後側から覆うカバーであるものとして説明したが、これに限らず、一側カバー１６が筐体１５を後ろ側から覆うカバーであり、他側カバー１７が筐体１５を前側から覆うカバーである構成としても良い。
【符号の説明】
【００３４】
１０  表示装置
１５  筐体
１６  一側カバー
１６ｄ  保持壁部（保持部）
１７  他側カバー
１８  カバー部材
１８ｂ  突出部
２２  嵌合爪
３２  嵌合部
３２ａ  外側壁部
３２ｂ  内側壁部
５０  係合孔
【図１】
0006717677.tif 000002
【図２】
0006717677.tif 000003
【図３】
0006717677.tif 000004
【図４】
0006717677.tif 000005
【図５】
0006717677.tif 000006
【図６】
0006717677.tif 000007
【図７】
0006717677.tif 000008
【図８】
0006717677.tif 000009
【図９】
0006717677.tif 000010